(57)【要約】  【課題】煩雑な操作をすることなく、記録媒体の空き領域の減少を防止することができ、且つ記録されたデータを見逃す危険を回避することができる記録再生装置記録再生装置および記録再生装置における記録再生方法を提供する。  【解決手段】定期的に（毎日、毎週等）放送される放送番組を番組予約する際に、録画方法を「再生後上書」と設定する。録画方法が「再生後上書」である放送番組を予約録画する際に、その番組予約と同一の番組予約によって録画された再生済みの録画データがある場合には、当該録画データの記録領域に上書き録画をする。録画方法が「再生後上書」である放送番組を再生する際に、再生された放送番組の録画データと同じ番組予約にかかる他の再生済みの録画データがあれば、いずれか一方を記録媒体から削除する。録画方法および再生状態は、番組録画リスト３２に表示される。【選択図】  図３
2005117358.tif 000002
【特許請求の範囲】
【請求項１】
放送番組の記録を予約するための番組予約手段と、前記番組予約手段により番組予約された定期的に放送される定期放送番組を記録媒体に記録するとともに、当該記録媒体に記録された定期放送番組を再生する記録再生手段と、前記記録再生手段の記録動作を制御する第１の制御手段と、前記記録再生手段の再生動作を制御する第２の制御手段とを備えた記録再生装置において、
前記第１の制御手段は、前記番組予約手段により記録方法が「再生後上書」と設定されている番組予約された定期放送番組を記録媒体に記録する際に、当該定期放送番組の以前の記録データであって再生済みのものが記録媒体に存在する場合は、当該データの記録領域に現在の定期放送番組のデータを上書き記録するとともに、その記録されたデータの管理領域に再生状態として「未再生」を設定し、前記再生済みの記録データが存在しない場合には、記録媒体の空き領域に現在の定期放送番組のデータを記録するとともに、その記録されたデータの管理領域に記録方法として「再生後上書」、再生状態として「未再生」をそれぞれ設定し、
前記第２の制御手段は、その管理領域に「再生後上書」と設定されている定期放送番組の記録データを再生する際に、当該記録データへの上書きの可否確認画面を表示し、視聴者が上書きを許可し、かつ、当該再生された記録データと同一の定期放送番組の他の記録データであって再生済みのものが記録媒体に存在する場合は、再生された記録データまたは他の記録データのいずれかを記録媒体から削除し、他の記録データを削除したときは、再生された記録データの再生状態として「再生済み」を設定し、視聴者が上書きを許可し、かつ、前記再生済みの他の記録データが存在しない場合は、再生された記録データの再生状態として「再生済み」を設定し、
前記第１の制御手段は、さらに、その管理領域に記録方法が「再生後上書」と設定され、且つ再生状態が「再生済み」と設定されている定期放送番組の記録データの記録領域に当該定期放送番組以外の番組のデータが上書き記録されるのを禁止することを特徴とする記録再生装置。
【請求項２】
放送番組の記録を予約するための番組予約手段と、前記番組予約手段により番組予約された定期的に放送される定期放送番組を記録媒体に記録するとともに、当該記録媒体に記録された定期放送番組を再生する記録再生手段とを備えた記録再生装置における記録再生方法であって、
前記番組予約手段により定期放送番組の記録方法を「再生後上書」に設定するステップと、
記録方法が「再生後上書」に設定されている番組予約された定期放送番組を前記記録再生手段により記録媒体に記録する際に、当該定期放送番組の以前の記録データであって、その再生状態が再生済みであるものが記録媒体に存在するか否かを判断するステップと、
前記再生済みの記録データが存在する場合には、当該データの記録領域に現在の定期放送番組のデータを上書き記録し、その記録されたデータの管理領域に再生状態として「未再生」を設定するステップと、
前記再生済みの記録データが存在しない場合には、記録媒体の空き領域に現在の定期放送番組のデータを記録し、その記録されたデータの管理領域に記録方法として「再生後上書」、再生状態として「未再生」をそれぞれ設定するステップと、
前記管理領域に「再生後上書」と設定されている番組予約にかかる定期放送番組の記録データを前記記録再生手段により再生する際に、当該記録データが再生された後に当該記録データへの上書きの可否確認画面を表示し、視聴者が上書きを許可した場合には、当該再生された記録データと同一の定期放送番組の他の記録データであって、その再生状態が再生済みであるものが記録媒体に存在するか否かを判断するステップと、
前記他の記録データが存在すると判断した場合には、再生された記録データまたは他の記録データのいずれかを記録媒体から削除し、他の記録データを削除したときは、再生された記録データの再生状態として「再生済み」を設定するステップと、
前記他の記録データが存在しないと判断した場合には、再生された記録データの再生状態として「再生済み」を設定するステップと、
その管理領域に「再生後上書」と設定され、且つ「再生済み」と設定されている番組予約にかかる定期放送番組の記録データの記録領域に当該定期放送番組以外の番組のデータの記録を禁止するステップとを備えたことを特徴とする記録再生方法。
【請求項３】
記録媒体に対して番組を記録再生する記録再生手段と、番組の記録を予約するための番組予約手段と、前記記録再生手段を制御する制御手段とを備えた記録再生装置において、
前記番組予約手段により記録方法が「再生後上書」と設定されている番組予約された定期番組を前記記録再生手段により記録媒体に記録する際に、前記制御手段は、記録媒体の空き領域または上書きが禁止されていない領域のいずれかに当該定期番組のデータを記録し、
記録方法が「再生後上書」である番組予約にかかる定期番組の記録データを前記記録再生手段により再生する際に、前記制御手段は、当該定期番組の再生済みの記録データの個数が所定の個数以下となるように当該再生済みの記録データを記録媒体から削除することを特徴とする記録再生装置。
【請求項４】
請求項３に記載の記録再生装置において、前記記録方法が「再生後上書」である番組予約にかかる定期番組の再生済みの記録データを前記所定の個数以下にする際に、前記制御手段は、再生された記録データと同一の番組予約の他の記録データであって、再生済みであるものが記録媒体に存在するか否かを判断し、当該他の記録データが存在すると判断した場合には、再生された記録データまたは他の記録データのいずれかを記録媒体から削除することを特徴とする記録再生装置。
【請求項５】
請求項３または請求項４に記載の記録再生装置において、前記番組予約手段は定期的に記録媒体に記録される定期番組の記録データの再生可能回数を設定することができ、前記制御手段は、前記記録方法が「再生後上書」である番組予約にかかる定期番組の記録データが前記再生可能回数だけ再生されたときに当該記録データを再生済みとして扱うことを特徴とする記録再生装置。
【請求項６】
請求項３または請求項４に記載の記録再生装置において、前記記録方法が「再生後上書」である番組予約にかかる定期番組の記録データが再生されたときに、前記制御手段は、視聴者の指示を判断し、視聴者の指示に従って当該記録データを再生済み又は再生済みではないとして扱うことを特徴とする記録再生装置。
【請求項７】
請求項３または請求項４に記載の記録再生装置において、前記制御手段は、前記記録方法が「再生後上書」である番組予約にかかる定期番組の記録データの全てが再生されたときは当該記録データを再生済みとして扱い、当該記録データの一部のみが再生されたときは当該記録データを再生済みとして扱わないことを特徴とする記録再生装置。
【請求項８】
請求項３ないし請求項７のいずれかに記載の記録再生装置において、前記制御手段は、前記記録方法が「再生後上書」である番組予約にかかる定期番組の再生済みの記録データの記録領域には同じ番組予約の新たなデータ以外のデータの上書きを禁止することを特徴とする記録再生装置。
【請求項９】
請求項８に記載の記録再生装置において、前記記録方法が「再生後上書」である番組予約にかかる定期番組のデータを記録媒体に記録する際に、前記制御手段は当該定期番組のデータのサイズよりも大きなサイズの記録領域を当該定期番組のデータの記録領域として確保することを特徴とする記録再生装置。
【請求項１０】
記録媒体に対して番組を記録再生する記録再生手段と、番組の記録を指示するための記録指示手段と、前記記録再生手段および前記記録指示手段を制御する制御手段とを備えた記録再生装置において、
前記記録指示手段は記録媒体に記録される番組の記録方法を「再生後上書」と設定することができ、且つ「再生後上書」と設定された番組の記録データの再生可能回数を設定することができ、
前記制御手段は、前記記録方法が「再生後上書」である番組の記録データが前記再生可能回数の回数だけ再生されたときに当該記録データを再生済みとして扱い、
前記制御手段は、当該記録データが再生済みではないときは当該記録データへの上書きを禁止し、当該記録データが再生済みであるときは当該記録データへの上書きを許可することを特徴とする記録再生装置。
【発明の詳細な説明】
【技術分野】
【０００１】
本発明は、テレビジョン放送等の予約録画機能を備えた記録再生装置および記録再生装置における記録再生方法に関するものである。
【背景技術】
【０００２】
従来のビデオテープレコーダやＤＶＤレコーダでは記録媒体の記録容量が十分ではないため、記録媒体の交換または記録されたデータ（ファイル）の削除を頻繁に行わなければならないという不便がある。この不便を解消するために、１００時間程度のテレビジョン放送番組を記録することのできるハードディスクを搭載した記録再生装置が市場に登場している。しかし、記録容量が大きくなっても、記録されたデータの削除を適宜行わないと、いずれは空き領域がなくなるという問題がある。この点に関連する技術として以下のものが知られている。
【０００３】
特許文献１には、ハードディスクに映像を録画する映像録画再生装置において、録画されたファイルを、消去不可ファイル、未再生ファイル、再生済みファイルに分類し、ハードディスクに新たな映像を録画するための空き領域がない場合は、再生済みのファイルに上書き録画し、再生済みのファイルが存在しない場合には、確認画面を表示して視聴者が許可したときに限り未再生ファイルに上書き録画されることが示されている。尚、消去不可の設定は、ファイルが再生されたとき、または録画後の任意のときに視聴者の操作によって行われる。
【０００４】
特許文献２には、ハードディスク付きビデオテープレコーダにおいて、ハードディスクに録画されたファイルを、消去不可の未再生ファイル、消去可の未再生ファイル、消去不可の再生済みファイル、消去可の再生済みファイルに分類し、ハードディスクに新たな映像を録画するための空き領域がない場合は、消去可の再生済みファイルに上書き録画し、消去可の再生済みファイルが存在しない場合には、上書き録画されても支障の少ないファイルをビデオテープにコピーして保存すると共に当該ファイルに上書き録画されることが示されている。
【０００５】
【特許文献１】特開２００２−３０５７０６号公報（段落００２５〜段落００３５）
【特許文献２】特開２００１−１４８８２５号公報（段落００１４〜段落００２８）
【発明の開示】
【発明が解決しようとする課題】
【０００６】
しかしながら、特許文献１のものにおいては、再生済みのファイルに上書き録画されるのを防止するためには、個々のファイルに対して消去不可の設定操作を行わなければならず、その操作が煩雑であるという問題がある。この問題は、定期的に（毎日、毎週等）録画されるファイルにおいて特に顕著である。また、上書き録画されても構わない再生済みのファイルであっても、当該ファイルは上書き録画されるまではハードディスク上に残っている。このため、録画した放送番組を再生するときに番組録画リストを表示させると、そこに再生済みの多数のファイルが表示され、視聴者が再生しようとするファイルを容易に見つけることができないという問題もある。また、番組録画リストを見易くするために不要な再生済みのファイルを個々に削除するのは、手間がかかるという問題もある。この問題は、定期的に録画されるファイルにおいて特に顕著である。
【０００７】
特許文献２のものにおいても、特許文献１と同様な問題がある。尚、消去可で再生済みファイル以外のファイルは、上書き録画される際にビデオテープにコピーされるようになっているが、予約録画される場合においては、視聴者が装置の前に居て空のビデオテープをセットできるとは限らないし、予めセットされているビデオテープに必ずしも空き領域があるとは限らない。また、両文献に示されるものは、録画をする際に記録媒体に空き領域が無いときに如何に対処するかを示すものであって、空き領域の減少を防止するための手段を示すものではない。
【０００８】
本発明は、上記問題点を解決するものであって、その課題とするところは、煩雑な操作をすることなく、記録媒体の空き領域の減少を防止することができ、且つ記録されたデータ（ファイル）を見逃す危険を回避することができる記録再生装置記録再生装置および記録再生装置における記録再生方法を提供することにある。
【課題を解決するための手段】
【０００９】
本発明では、放送番組の記録を予約するための番組予約手段と、番組予約手段により番組予約された定期的に放送される定期放送番組を記録媒体に記録するとともに、当該記録媒体に記録された定期放送番組を再生する記録再生手段と、記録再生手段の記録動作を制御する第１の制御手段と、記録再生手段の再生動作を制御する第２の制御手段とを備えた記録再生装置において、第１の制御手段は、番組予約手段により記録方法が「再生後上書」と設定されている番組予約された定期放送番組を記録媒体に記録する際に、当該定期放送番組の以前の記録データであって再生済みのものが記録媒体に存在する場合は、当該データの記録領域に現在の定期放送番組のデータを上書き記録するとともに、その記録されたデータの管理領域に再生状態として「未再生」を設定し、再生済みの記録データが存在しない場合には、記録媒体の空き領域に現在の定期放送番組のデータを記録するとともに、その記録されたデータの管理領域に記録方法として「再生後上書」、再生状態として「未再生」をそれぞれ設定する。
第２の制御手段は、その管理領域に「再生後上書」と設定されている定期放送番組の記録データを再生する際に、当該記録データへの上書きの可否確認画面を表示し、視聴者が上書きを許可し、かつ、当該再生された記録データと同一の定期放送番組の他の記録データであって再生済みのものが記録媒体に存在する場合は、再生された記録データまたは他の記録データのいずれかを記録媒体から削除し、他の記録データを削除したときは、再生された記録データの再生状態として「再生済み」を設定する。視聴者が上書きを許可し、かつ、再生済みの他の記録データが存在しない場合は、再生された記録データの再生状態として「再生済み」を設定する。
第１の制御手段は、さらに、その管理領域に記録方法が「再生後上書」と設定され、且つ再生状態が「再生済み」と設定されている定期放送番組の記録データの記録領域に当該定期放送番組以外の番組のデータが上書き記録されるのを禁止する。
尚、記録再生装置の記録動作を制御するためのプログラムおよび再生動作を制御するためのプログラムをそれぞれ実行するＣＰＵが第１の制御手段および第２の制御手段に相当する。
【００１０】
このようにすることで、記録方法が「再生後上書」と設定されている番組予約された定期放送番組に関しては、ある番組予約によって記録された再生済みの記録データの個数は１よりも大きくなることはない。これにより、記録媒体の空き領域の減少が防止されると共に、視聴者は再生したい番組を番組記録リストから容易に見つけることができる。また、残されている１つの再生済みの記録データ以外の再生済みの記録データは第２の制御手段によって自動的に削除されるので、不要な再生済みの記録データを個々に削除する手間が省かれる。さらに、番組予約をする際に記録方法を「再生後上書」と設定することができるので、定期放送番組の個々の記録データごとに「再生後上書」の設定を行わなくても、記録データが再生されるまでは当該記録データへの上書きが防止される。これにより、視聴者は記録されたデータを見逃す危険を回避することができる。さらに、残された１つの再生済みの記録データは、同一の番組予約の新たなデータ以外のデータによる上書きが禁止されるので、記録媒体の空き領域が無くなった場合でも、残された１つの再生済みの記録データの記録領域に同一の番組予約の新たなデータを記録することができる。さらに、記録データが再生された後に当該記録データへの上書きの可否を確認するための画面を表示し、視聴者が上書きを許可しない限り当該記録データは再生済みとして扱われないようにしているので、視聴者が許可するまでは当該記録データは削除されることはない。これにより、複数の視聴者がいる場合であっても、各視聴者が記録データを見逃す危険を回避することができる。
【００１１】
また、本発明は、放送番組の記録を予約するための番組予約手段と、番組予約手段により番組予約された定期的に放送される定期放送番組を記録媒体に記録するとともに、当該記録媒体に記録された定期放送番組を再生する記録再生手段とを備えた記録再生装置における記録再生方法であって、以下のステップを備える。
番組予約手段により定期放送番組の記録方法を「再生後上書」に設定するステップ。記録方法が「再生後上書」に設定されている番組予約された定期放送番組を記録再生手段により記録媒体に記録する際に、当該定期放送番組の以前の記録データであって、その再生状態が再生済みであるものが記録媒体に存在するか否かを判断するステップ。再生済みの記録データが存在する場合には、当該データの記録領域に現在の定期放送番組のデータを上書き記録し、その記録されたデータの管理領域に再生状態として「未再生」を設定するステップ。再生済みの記録データが存在しない場合には、記録媒体の空き領域に現在の定期放送番組のデータを記録し、その記録されたデータの管理領域に記録方法として「再生後上書」、再生状態として「未再生」をそれぞれ設定するステップ。当該管理領域に「再生後上書」と設定されている番組予約にかかる定期放送番組の記録データを記録再生手段により再生する際に、当該記録データが再生された後に当該記録データへの上書きの可否確認画面を表示し、視聴者が上書きを許可した場合には、当該再生された記録データと同一の定期放送番組の他の記録データであって、その再生状態が再生済みであるものが記録媒体に存在するか否かを判断するステップ。再生済みの他の記録データが存在すると判断した場合には、再生された記録データまたは他の記録データのいずれかを記録媒体から削除し、他の記録データを削除したときは、再生された記録データの再生状態として「再生済み」を設定するステップ。再生済みの他の記録データが存在しないと判断した場合には、再生された記録データの再生状態として「再生済み」を設定するステップ。および、その管理領域に「再生後上書」と設定され、且つ「再生済み」と設定されている番組予約にかかる定期放送番組の記録データの記録領域に当該定期放送番組以外の番組のデータの記録を禁止するステップ。
このようにすることで、先の発明と同様の作用効果を奏する。
【００１２】
さらに、本発明では、記録媒体に対して番組を記録再生する記録再生手段と、番組の記録を予約するための番組予約手段と、記録再生手段を制御する制御手段とを備えた記録再生装置において、番組予約手段により記録方法が「再生後上書」と設定されている番組予約された定期番組を記録再生手段により記録媒体に記録する際に、制御手段は、記録媒体の空き領域または上書きが禁止されていない領域のいずれかに当該定期番組のデータを記録する。記録方法が「再生後上書」である番組予約にかかる定期番組の記録データを記録再生手段により再生する際に、制御手段は、当該定期番組の再生済みの記録データの個数が所定の個数以下となるように当該再生済みの記録データを記録媒体から削除する。尚、上記の上書きが禁止されていない領域には、同一の番組予約の他の再生済みのデータが記録されている領域が含まれる。また、上記の所定の個数には０も含まれる。
【００１３】
このようにすることで、記録方法が「再生後上書」と設定されている番組予約された定期番組に関しては、ある番組予約によって記録された再生済みの記録データの個数は所定の個数以下になる。これにより、記録媒体の空き領域の減少が防止されると共に、視聴者は再生したい番組を番組記録リストから容易に見つけることができる。また、残されている所定の個数以下の再生済みの記録データ以外の再生済みの記録データは制御手段によって自動的に削除されるので、不要な再生済みの記録データを個々に削除する手間が省かれる。さらに、番組予約をする際に記録方法を「再生後上書」と設定することができるので、定期番組の個々の記録データごとに「再生後上書」の設定を行わなくても、記録データが再生されるまでは当該記録データへの上書きが防止される。これにより、視聴者は記録されたデータを見逃す危険を回避することができる。尚、所定の個数が０である場合は、再生済みの記録データは存在しなくなる。
【００１４】
本発明においては、記録方法が「再生後上書」である番組予約にかかる定期番組の再生済みの記録データを所定の個数以下にする際に、制御手段は、再生された記録データと同一の番組予約の他の記録データであって、再生済みであるものが記録媒体に存在するか否かを判断し、当該他の記録データが存在すると判断した場合には、再生された記録データまたは他の記録データのいずれかを記録媒体から削除する。このようにすることで、同一の番組予約にかかる再生済みの記録データの個数が１よりも大きくなることはなく、記録媒体の空き領域の減少が一層防止される。
【００１５】
また、本発明においては、番組予約手段は定期的に記録媒体に記録される定期番組の記録データの再生可能回数を設定することができ、制御手段は、記録方法が「再生後上書」である番組予約にかかる定期番組の記録データが再生可能回数だけ再生されたときに当該記録データを再生済みとして扱う。このようにすることで、記録データが再生可能回数だけ再生されるまでは当該記録データへの上書きが防止され、視聴者が複数いる場合であっても、各視聴者は記録されたデータを見逃す危険を回避することができる。また、視聴者が複数いる場合に、再生される都度、視聴者に再生済みとして扱ってもよいか否かを確認する必要もなくなり、操作性が向上する。
【００１６】
さらに、本発明においては、記録方法が「再生後上書」である番組予約にかかる定期番組の記録データが再生されたときに、制御手段は、視聴者の指示を判断し、視聴者の指示に従って当該記録データを再生済み又は再生済みではないとして扱う。このようにすることで、再生された記録データであっても、視聴者の許可がない限り再生済みとして扱われないので、当該記録データへの上書きが防止され、視聴者が許可するまで繰り返し再生をおこなうことができる。これにより、視聴者が複数いる場合であっても、各視聴者は記録されたデータを見逃す危険を回避することができる。
【００１７】
さらに、本発明においては、制御手段は、記録方法が「再生後上書」である番組予約にかかる定期番組の記録データの全てが再生されたときは当該記録データを再生済みとして扱い、当該記録データの一部のみが再生されたときは当該記録データを再生済みとして扱わない。このようにすることで、例えば、再生が中断されたような場合には記録データは再生済みとして扱われないので、そこに上書きされることはなく、再度の再生を行うことができる。
【００１８】
さらに、制御手段は、記録方法が「再生後上書」である番組予約にかかる定期番組の再生済みの記録データの記録領域には同じ番組予約の新たなデータ以外のデータの上書きを禁止する。このようにすることで、当該定期番組の再生済み記録データの記録領域に他の番組が上書きされることがなく、当該記録領域は同一の番組予約の新たなデータを記録するための領域として確保される。
【００１９】
さらに、本発明においては、記録方法が「再生後上書」である番組予約にかかる定期番組のデータを記録媒体に記録する際に、制御手段は当該定期番組のデータのサイズよりも大きなサイズの記録領域を当該定期番組のデータの記録領域として確保する。このようにすることで、同一の番組予約にかかる複数のデータのサイズが互いに異なる場合であっても、同一の番組予約の新たなデータを再生済みの記録データの記録領域に確実に上書きすることができ、記録媒体に空き領域が全くない場合であっても、当該定期番組を記録することができる。
【００２０】
さらに、本発明では、記録媒体に対して番組を記録再生する記録再生手段と、番組の記録を指示するための記録指示手段と、記録再生手段および記録指示手段を制御する制御手段とを備えた記録再生装置において、記録指示手段は記録媒体に記録される番組の記録方法を「再生後上書」と設定することができ、且つ「再生後上書」と設定された番組の記録データの再生可能回数を設定することができる。制御手段は、記録方法が「再生後上書」である番組の記録データが再生可能回数の回数だけ再生されたときに当該記録データを再生済みとして扱う。そして、制御手段は、当該記録データが再生済みではないときは当該記録データへの上書きを禁止し、当該記録データが再生済みであるときは当該記録データへの上書きを許可する。このようにすることで、記録データが再生可能回数の回数だけ再生されるまでは当該記録データへの上書きが防止され、視聴者が複数いる場合であっても、各視聴者は記録されたデータを見逃す危険を回避することができる。また、視聴者が複数いる場合に、再生される都度、視聴者に再生済みとして扱ってもよいか否かを確認する必要もなくなり、操作性が向上する。尚、上記の記録指示手段は、番組予約によって記録を指示するもの、または現時点で行われている番組の記録を指示するもののいずれであってもよい。
【発明の効果】
【００２１】
本発明によれば、煩雑な操作をすることなく、記録再生装置の記録媒体の空き領域の減少を防止することができ、且つ記録媒体に記録されたデータを見逃す危険を回避することができる。
【発明を実施するための最良の形態】
【００２２】
図１は、本発明に係る記録再生装置１のブロック図である。この記録再生装置１は、ハードディスク１１を搭載しており、ランダムアクセス可能な記録媒体であるハードディスク１１に放送番組の映像および音声のデータを記録し、それを再生する。また、ＤＶＤ、ＣＤ等の各種の交換可能な記録媒体であるリムーバブルディスク１２のデータを再生する。リムーバブルディスク１２がＤＶＤ−Ｒ，ＤＶＤ−ＲＷ，ＤＶＤ−ＲＡＭ等の書き込み可能な記録媒体であれば、そこに放送番組を記録することもできる。
【００２３】
アンテナ１３で受信された放送信号は、チューナ１４で選局され、第１および第２記録信号処理部１６Ａ、１６Ｂに送られる。第１記録信号処理部１６Ａでは、入力信号がＡ／Ｄ変換され、例えばＭＰＥＧ−２方式により圧縮符号化される。符号化された信号は、第１記録再生部１５Ａにおいてハードディスク１１に記録される。第１記録再生部１５Ａは、ハードディスク１１に対してデータを記録再生するための記録再生ヘッド、記録再生ヘッドをハードディスク１１の径方向に移動させるためのシーク機構、ハードディスク１１を回転させるための回転駆動機構等から構成される。第１記録再生部１５Ａで再生されたハードディスク１１のデータは、第１再生信号処理部１７Ａにおいて映像信号、音声信号ごとに復号化された後、夫々の信号はＤ／Ａ変換される。Ｄ／Ａ変換された映像信号はＯＳＤ処理部１８に送られ、音声信号は信号選択部１９に送られる。
【００２４】
第２記録信号処理部１６Ｂでも、入力信号がＡ／Ｄ変換され、例えばＭＰＥＧ−２方式により圧縮符号化される。符号化された信号は、第２記録再生部１５Ｂにおいてリムーバブルディスク１２に記録される。第２記録再生部１５Ｂは、リムーバブルディスク１２を戴置して搬入出するためのトレイ、リムーバブルディスク１２に対してデータを記録再生するための光ピックアップ、光ピックアップをリムーバブルディスク１２の径方向に移動させるための移動機構、リムーバブルディスク１２を回転させるための回転駆動機構等から構成される。第２記録再生部１５Ｂで再生されたリムーバブルディスク１２のデータは、第２再生信号処理部１７Ｂにおいて映像信号、音声信号ごとに復号化された後、夫々の信号はＤ／Ａ変換される。Ｄ／Ａ変換された映像信号はＯＳＤ処理部１８に送られ、音声信号は信号選択部１９に送られる。
【００２５】
ＯＳＤ処理部１８では、ＣＰＵ２０により第１または第２再生信号処理部１７Ａ、１７Ｂのいずれかからの映像信号が選択されると共に、ＣＰＵ２０から送られてくるオンスクリーン表示（以下、ＯＳＤという）のための信号が重畳される。ＯＳＤ処理部１８の出力信号は映像表示装置２（例えば、モニタ、テレビジョン受像機の表示部）に送られる。本記録再生装置１は、視聴者に各種メッセージを伝えるためにＯＳＤの機能を備えている。ＯＳＤのデータはメモリー２１に記憶されており、それがＣＰＵ２０により読み出され、場合によっては部分的に加工されて、ＯＳＤ処理部１８においてハードディスク１１またはリムーバブルディスク１２の再生データに重畳される。
信号選択部１９では、ＣＰＵ２０により第１または第２再生信号処理部１７Ａ、１７Ｂのいずれかからの音声信号が選択される。信号選択部１９の出力信号は音声出力装置３（例えば、オーディオセット、テレビジョン受像機の音声出力部）に送られる。
【００２６】
また、第１再生信号処理部１７Ａの出力信号が第２記録信号処理部１６Ｂに送られ、第２再生信号処理部１７Ｂの出力信号が第１記録信号処理部１６Ａに送られているので、ハードディスク１１とリムーバブルディスク１２との間で一方のデータを他方にコピーすることができる。さらに、第１および第２記録再生部１５Ａ、１５Ｂ、第１および第２記録信号処理部１６Ａ、１６Ｂ、並びに第１および第２再生信号処理部１７Ａ、１７Ｂを備えているので、リムーバブルディスク１２に記録されている映画を鑑賞しているときに、番組予約された放送番組をハードディスク１１に予約録画することができる。また、ハードディスク１１に記録されている放送番組を鑑賞しているときに、番組予約された放送番組をリムーバブルディスク１２に予約録画することもできる。
【００２７】
以下では、番組予約された放送番組をハードディスク１１に予約録画する場合について説明する。尚、番組予約とは、放送番組をハードディスク１１に録画（記録）するために放送番組の開始日時、チャンネル等を指定することをいうものとする。予約録画とは、番組予約の内容に従って指定された開始日時になったら放送番組をハードディスク１１に録画することをいうものとする。
【００２８】
ＣＰＵ２０には、メモリー２１、操作部２２および時計ＩＣ２３が接続されている。メモリー２１には、本記録再生装置１の動作を制御するためのプログラム、上述のＯＳＤのデータ、各種の制御データ等が格納されている。また、メモリー２１はＣＰＵ２０の演算作業領域としても使用される。以下の説明ではメモリー２１は不揮発性であるとする。
時計ＩＣ２３は、現在の年月日および時刻（以下、両者を合わせて「日時」という）を記憶している。この日時のデータはＣＰＵ２０により読み出される。尚、水晶発振器とタイマーとにより時計ＩＣ２３と同様な機能を実現してもよい。
【００２９】
操作部２２は、本記録再生装置１の不図示の前面パネルに設けられた複数のキーおよび多数のキーを備えた不図示のリモートコントローラからなる。操作部２２には、ハードディスク１１またはリムーバブルディスク１２の再生を開始するための再生キー、再生を一時停止させるための一時停止キー、０〜９の数字を入力するためのテンキー、メニュー画面を表示させるためのメニューキー、メニュー画面に示される項目を選択するためのカーソルキー、選択された項目を実行するための決定キー等が設けられている。いずれかのキーが押されると信号がＣＰＵ２０に送られ、押されたキーの種類に応じた処理が行われる。
【００３０】
図２は、番組予約リスト３１を示す図である。操作部２２の所定のキーを所定の手順で操作することにより番組予約リスト３１が映像表示装置２の画面に表示される。ここでは、プログラム１〜４の４つの放送番組が既に番組予約されている。番組予約は、例えば、以下の操作によって行われる。番組予約リスト３１が表示されているときに、カーソルキーを操作して「新規予約」を選択し、その状態を決定キーを押すと、番組予約設定画面（不図示）が表示される。その画面でカーソルキー、テンキー等を操作し、プログラム１〜４と同様に開始時刻、チャンネル等を設定する。尚、番組予約リスト３１は１つのデータとしてメモリー２１に記憶してもよいし、または１つのファイルとしてハードディスク１１に記録して、必要に応じて一時的にメモリー２１に格納するようにしてもよい。また、番組予約をする際に使用する操作部２２のキー、メモリー２１中の番組予約の操作を実現するためのプログラムおよび当該プログラムを実行するＣＰＵ２０等から構成されるものが本発明の番組予約手段に相当する。
【００３１】
次に、番組予約リスト３１の設定内容について説明する。プログラム１は、６月２日（月曜日）の８：００から８：３０まで８チャンネルの放送番組をＳＰモード（標準モード）で録画方法「通常録画」によって予約録画することを示す。「通常録画」とは、録画されたデータが再生されたか否かにかかわらず、その記録領域に他のデータの上書きを禁止する録画方法である。
プログラム２は、毎週月曜日の１０：００から１０：３０まで１チャンネルの放送番組をＬＰモード（長時間モード）で録画方法「再生後上書」によって予約録画することを示す。
【００３２】
「再生後上書」とは、本発明にかかる録画方法であり、その概要を以下に説明する。まず、最初に予約録画されるときは、放送番組のデータはハードディスク１１の空き領域に録画される。２回目に予約録画されるときに、最初に予約録画されたデータが既に再生されており、そのデータがハードディスク１１に存在している（削除の操作がされていない）場合は、２回目のデータは最初のデータが記録されている領域に上書きされる。２回目に予約録画されるときに、最初に予約録画されたデータが未だ再生されていない場合は、２回目のデータはハードディスク１１の空き領域に録画される。また、最初のデータが既に再生された状態で２回目のデータが再生されると、最初のデータまたは２回目のデータのいずれかがハードディスク１１から自動的に削除される。つまり、最初のデータまたは２回目のデータが記録されていた領域が開放され、その領域は空き領域となる。
【００３３】
上記の内容を一般化して説明すると以下のようになる。Ｎ回目のデータを予約録画するときに、ハードディスク１１に同一の番組予約の再生済みのデータが存在していれば、Ｎ回目のデータは当該再生済みのデータが録画されている領域に上書きされる。それに対し、同一の番組予約の再生済みのデータが存在していなければ、Ｎ回目のデータはハードディスク１１の空き領域に録画される。また、ある予約録画されたデータが再生されたときに、同一の番組予約の他の再生済みのデータが存在していれば、いずれか一方のデータが自動的に削除される。さらに、録画方法が「再生後上書」である再生済みのデータの記録領域には、同一の番組予約にかかるデータ以外のデータの録画（上書き）は禁止される。上記の「再生後上書」にかかる処理は、ＣＰＵ２０およびメモリー２１に格納されたプログラムによって実現されるが、このプログラムの動作については後述する。
【００３４】
上記のように、再生済みのデータの個数が複数にならないように、余分のデータは自動的に削除されるので、定期的に予約録画が行われても、録画されたデータが適宜に再生されている限り、ハードディスク１１の空き領域の減少が防止される。また、上記の削除はデータの再生後に行われるので、後述の番組録画リスト３２（図３）には余分なデータは表示されない。これにより、視聴者は番組録画リスト３２から再生しようとする放送番組を容易に見つけることができる。また、余分なデータの削除は自動的に行われるので、個々のデータ（ファイル）ごとに削除の操作をする手間が省かれる。
【００３５】
以上の説明では、再生済みのデータの個数が複数にならないように制御する場合について説明したが、所定の個数以下になるように制御しても同様の効果を得ることができる。例えば、定期的に予約録画される番組の放送時間が１０分と短ければ、１００時間分の放送番組を録画できる記録容量を持つハードディスク１１の空き領域の減少を防止するという観点では、再生済みのデータの個数が１つであろうと３つであろうと実質的な効果の差は少ないからである。また、放送番組のデータは、ハードディスク１１においてはファイルとして記録されるので、「データ」と「ファイル」とは実質的に同じ意味になる。例えば、上記の説明で使用した「データを削除する」は、「（当該データが記録された）ファイルを削除する」と同じ意味である。
【００３６】
プログラム３は、毎週水曜日の２０：００から２１：００まで４チャンネルの放送番組をＬＰモードで録画方法「上書録画」によって予約録画することを示す。「上書録画」とは、録画されたデータが再生されていなくても、そのデータの記録領域に他のデータの上書きを許容する録画方法である。尚、ハードディスク１１に空き領域があれば新たなデータは空き領域に録画されるので、空き領域がある限り当該記録領域が上書されることはない。
プログラム４は、毎日５：３０から５：４５まで３チャンネルの放送番組をＬＰモードで録画方法「再生後上書」によって予約録画することを示す。
【００３７】
図３は、番組録画リスト３２を示す図である。番組録画リスト３２は、操作部２２の所定のキーを所定の手順で操作することにより映像表示装置２の画面に表示される。図３では、図２の番組予約リスト３１に示される番組予約により予約録画された放送番組の一覧が示されている。番組予約リスト３１と異なる点について以下に説明する。番組予約リスト３１において「毎週」または「毎日」が指定されていたもの（プログラム２〜４）は、予約録画された月日を明示にするために、「月／日」の欄に「０６／１６」等の月日を示す情報が追加されている。また、「再生状態」の欄が追加されており、予約録画された放送番組が既に再生されたか否かを判別できるようになっている。
【００３８】
尚、番組録画リスト３２は１つのデータとしてメモリー２１に記憶してもよいし、または１つのファイルとしてハードディスク１１に記録して、必要に応じて一時的にメモリー２１に格納するようにしてもよい。または、各放送番組のデータがファイルとしてハードディスク１１に記録される際に、番組録画リスト３２に示される情報をファイルの管理情報の一部（ディレクトリ情報の一部）として記録し、必要に応じて各ファイルの管理情報を読み出し、これらを一時的にメモリー２１に格納するようにしてもよい。いずれにしろ、番組録画リスト３２の情報は、録画されたデータの管理領域に記録（記憶）されることになる。
【００３９】
次に、本発明にかかる録画方法「再生後上書」が指定されたプログラム２について説明する。６月１日に番組予約リスト３１に示される番組予約が行われて、６月２６日に番組録画リスト３２が表示されたものとする。プログラム２の放送番組は、６月２日、９日、１６日、２３日に予約録画が行われ、２日および９日の放送番組のデータは、再生された後にハードディスク１１から削除されている。再生済みのデータとしては、１６日のデータのみが残っており、２３日のデータは未だ再生されていない。
【００４０】
次に、本発明の直接的事項ではないが、番組録画リスト３２の使用例について簡単に説明する。番組録画リスト３２が表示されているときに、カーソルキーを操作して放送番組のいずれかを選択して決定キーを押す。そうすると、再生、削除等の操作を選択できる画面（不図示）が表示される。例えば、カーソルキーで「再生」を選択して決定キーを押すと、選択されていた放送番組の再生が開始される。また、カーソルキーで「削除」を選択して決定キーを押すと、選択されていた放送番組のデータ（ファイル）がハードディスク１１から削除される。
【００４１】
図４は、予約録画の動作を示すフローチャートである。ＣＰＵ２０は、一定の時間間隔（例えば、１００ｍｓｅｃ毎）で時計ＩＣ２３から日時のデータを読み出し、この日時のデータと番組予約リスト３１中の開始日時とを比較し、両者が一致したときにフローチャートに示されるプログラムを起動する。
【００４２】
プログラムが起動されると、番組予約リスト３１を調べることにより、予約録画の録画方法（記録方法）が「再生後上書」であるか否かが判断される（Ｓ１）。「再生後上書」であると判断された場合は、これから予約録画する放送番組と同一の番組予約により録画された再生済みのデータ（ファイル）が存在するか否かが判断される（Ｓ２）。この判断は、これから予約録画を行う放送番組の番組予約の月／日、曜日、開始時刻、チャンネル等の設定内容が同一であって、再生状態が再生済みである放送番組のデータが番組録画リスト３２中にあるか否かを調べることによって行われる。同一の番組予約によって録画された再生済みのデータが存在すると判断された場合は、そのデータの記録領域に上書き録画する（Ｓ３）。次に、番組録画リスト３２の再生状態の欄に「未再生」を設定して（Ｓ４）、呼び出し元に戻る。尚、録画方法が「再生後上書」であるので、未だ再生されていない（未再生の）データの記録領域への上書きが禁止されるのは当然である。
【００４３】
Ｓ２で同一の番組予約によって録画された再生済みのファイルが存在しないと判断された場合は、ハードディスク１１の空き領域に録画する（Ｓ５）。この処理の詳細は図５に示される。この際、番組録画リスト３２に本予約録画にかかるデータが追加される。次に、番組録画リスト３２の録画方法の欄に「再生後上書」を設定し、再生状態の欄に「未再生」を設定する（Ｓ６）。その後、呼び出し元に戻る。
【００４４】
Ｓ１でＮＯと判断された場合（録画方法が「通常録画」または「上書録画」である場合）は、ハードディスク１１の空き領域に録画する（Ｓ７）。この際、番組録画リスト３２に本予約録画にかかるデータが追加される。次に、番組録画リスト３２の録画方法の欄に、番組予約の録画方法の内容に従って「通常録画」または「上書録画」を設定し、再生状態の欄に「未再生」を設定して（Ｓ８）、呼び出し元に戻る。
【００４５】
図５は、空き領域に録画する動作を示すフローチャートである。まず、ハードディスク１１に空き領域があるか否かが判断される（Ｓ１１）。空き領域がある場合は、空き領域に録画する（Ｓ１２）。次に、録画した番組予約の録画方法が「再生後上書」であるか否かが判断され（Ｓ１３）、「再生後上書」ではない場合は、何もせずに呼び出し元に戻る。「再生後上書」である場合は、録画された領域の後方にダミー領域を追加して、全体を録画されたデータ（ファイル）の記録領域とする（Ｓ１４）。つまり、実際に録画されたデータのサイズよりも大きな領域を当該データの記録領域とする。例えば、同じ３０分の放送番組を録画する場合でも、そのときの映像が異なれば、データのサイズが異なる。このようにすることで、図４のＳ３において、再生済みのデータの記録領域に新たなデータを確実に上書き録画することが可能となる。この全体の領域のサイズは、実際に録画されたデータのサイズの、例えば、１．１〜１．５倍程度とする。Ｓ１４を実行した後、呼び出し元に戻る。
【００４６】
Ｓ１１で空き領域がないと判断された場合は、番組録画リスト３２を調べることにより、ハードディスク１１に録画方法が「上書録画」であるデータ（ファイル）があるか否かが判断される（Ｓ１５）。「上書録画」であるデータがない場合は、何もせずに呼び出し元に戻る。「上書録画」であるデータがある場合は、当該データの記録領域に上書き録画する（Ｓ１６）。次に、Ｓ１３，Ｓ１４と同様にして、番組予約の録画方法が「再生後上書」である場合は、録画された領域の後方にダミー領域を追加して、全体を録画されたデータ（ファイル）の記録領域として（Ｓ１７、Ｓ１８）、呼び出し元に戻る。
【００４７】
上記のＳ１５において、録画方法が「再生後上書」であるデータ（ファイル）は判断対象から除外されているので、当該データが再生済みであっても、当該データの記録領域に他の番組予約にかかるデータが上書されることはない。つまり、録画方法が「再生後上書」である再生済みのデータは、同一の番組予約にかかる後のデータを予約録画するための領域として確保される。
尚、録画方法が「上書録画」であるデータ（ファイル）の記録領域に上書き録画を行う場合には、そのデータが再生済みであるか否か、録画された日時の新旧等を調べて、上書されることによる支障の少ないデータの記録領域に優先的に上書きすることが望ましい。また、Ｓ１５でＮＯと判断された場合には何らかの処理が必要であるが、本発明の直接的事項ではないので、説明を省略する。
【００４８】
図６は、録画された番組を再生するときの動作を示すフローチャートである。このプログラムは、番組録画リスト３２から放送番組を指定して再生が指示されたときに起動される。まず、指定された放送番組のデータ（ファイル）の再生が行われる（Ｓ２１）。再生が終了した後に、Ｓ２１で再生されたデータの録画方法が「再生後上書」であるか否かが判断され（Ｓ２２）、「再生後上書」であると判断された場合は、図７に示されるような上書き可否確認画面３３をＯＳＤとして映像表示装置２に表示する（Ｓ２３）。上書き可否確認画面３３において、視聴者がカーソルキーで「はい」または「いいえ」のいずれかを選択して決定キーを押すと、ＣＰＵ２０により視聴者が上書きを許可したか否かが判断される（Ｓ２４）。
【００４９】
このように視聴者の指示を仰ぐのは、例えば、家庭内に予約録画された放送番組を鑑賞する者が複数名いる場合に、一人が再生して鑑賞したとしても、残りの者が当該放送番組を確実に鑑賞できるように上書きを禁止しなければならない場合があるからである。視聴者が上書きを許可しなかった場合は、何もせずに呼び出し元に戻る。従って、この場合は、放送番組のデータが再生されたにもかかわらず、番組録画リスト３２の再生状態の欄は未再生のままである。
【００５０】
視聴者が上書きを許可した場合は、同一の番組予約の他の再生済みのデータ（ファイル）が存在するか否かが判断される（Ｓ２５）。存在すると判断された場合は、Ｓ２１で再生されたデータの再生状態に「再生済み」を設定し（Ｓ２６）、同一の番組予約の他の再生済みのデータをハードディスク１１から削除して（Ｓ２７）、呼び出し元に戻る。このようにすることで、録画方法が「再生後上書」である再生済みのデータの個数は、ハードディスク１１内で１つだけとなる。これにより、定期的に予約録画される録画方法が「再生後上書」であるデータの個数は、適宜の再生が行われている限り、そのデータ（ファイル）の個数は大幅に増加することがなく、ハードディスク１１の空き領域の減少が防止される。また、Ｓ２６，Ｓ２７に代えて、Ｓ２１で再生されたデータの方を削除するようにしてもよい。尚、この場合は録画日時の古いデータが番組録画リスト３２に残るので視聴者が違和感を受けることもある。いずれにしろ、再生されたデータまたは他の再生済みのデータのいずれかを削除すればよい。
【００５１】
Ｓ２５で同一の番組予約の他の再生済みのデータが存在しないと判断された場合は、再生されたデータの再生状態に「再生済み」を設定する（Ｓ２８）。こうすることで、図４のＳ３において、このデータの記録領域に同一の番組予約の新たなデータが上書き録画されるので、ハードディスク１１の空き領域の減少が防止される。
Ｓ２２でＮＯと判断された場合（録画方法が「通常録画」または「上書録画」である場合）は、番組録画リスト３２中の当該データの再生状態に「再生済み」を設定して（Ｓ２９）、呼び出し元に戻る。
【００５２】
上記の実施形態では、Ｓ２４でＮＯと判断された場合は、再生されたにもかかわらず、番組録画リスト３２では再生状態が「未再生」のままであり、視聴者が違和感を受けることも考えられる。この対策として、Ｓ２４でＮＯと判断された場合に、再生状態に「再生済、上書き禁止」を設定して、呼び出し元に戻るようにしてもよい。この場合、図４のＳ２においては、再生状態が「再生済、上書き禁止」であるデータは、再生済みとして扱われない。また、本記録再生装置１を使用する者が一人である場合には、一旦再生された後は、上書きされても支障はないので、Ｓ２３およびＳ２４の手順を行うか否かを設定操作で設定できるようにしてもよい。
【００５３】
さらに、Ｓ２１においてデータの一部のみが再生されたとき（例えば、再生が中断されたとき）にのみ、Ｓ２３およびＳ２４の手順を行うようにしてもよい。さらに、データの全てが再生されたときは、当該データを「再生済み」として扱い、データの一部のみが再生されたときは、当該データを「未再生」として扱うようにしてもよい。
【００５４】
次に、複数の者が同じ予約録画された放送番組を鑑賞するケースに対処するための他の実施形態について以下に説明する。この実施形態では、番組予約の機能において、再生可能回数を設定する機能が追加される。そして、番組予約リスト３１の録画方法欄には、「再生後上書」に代えて、例えば、「再生後上書（４回）」のように表示される。この「４」は再生可能回数であり、放送番組ごとに異なった値を設定することができる。尚、先の実施形態のものは、再生可能回数が「１」であるということになる。この再生可能回数は、予約録画されたときに録画方法、再生状態等を示すデータと同様に各データ（ファイル）の管理領域に記録される。
【００５５】
本実施形態の再生時の動作を図８に示されるフローチャートを参照しつつ説明する。尚、予約録画時の動作は図４に示されるものと同じである。図８のフローチャートは、図６のＳ２３およびＳ２４が図８のＳ３３、Ｓ３４ＡおよびＳ３４Ｂで置換されたものであるので、Ｓ３３，Ｓ３４Ａ，Ｓ３４Ｂについてのみ説明する。まず、再生可能回数が既に０になっているか否かが判断され（Ｓ３３）、０である場合は何もせずに呼び出し元に戻る。０ではない場合は、再生可能回数から１を引く（Ｓ３４Ａ）。次に、引き算の結果、再生可能回数が０になったか否かが判断される（Ｓ３４Ｂ）。０にならなかった場合は、何もせずに呼び出し元に戻る。従って、再生されたデータの再生状態は未再生のままである。０になった場合は、図６と同様にＳ３５以降のステップが実行され、当該データの再生状態に「再生済み」が設定される。
【００５６】
このように、再生可能回数だけ再生されるまでは、当該データの再生状態は未再生のままであり、図６のＳ２３およびＳ２４に示される視聴者との確認作業をしなくても、その記録領域への上書きが防止され、複数の者が確実に当該データを鑑賞することができる。再生可能回数が４に設定された放送番組が１回だけ再生されたときは、番組録画リスト３２の再生状態欄には、例えば、「未再生（残り３回）」のように表示される。
【００５７】
以上述べた実施形態においては、ハードディスク１１およびリムーバブルディスク１２を備えた記録再生装置１において、録画方法（記録方法）を「再生後上書」として番組予約された放送番組をハードディスク１１に録画する場合について説明したが、リムーバブルディスク１２が読み書き可能で且つランダムアクセス可能な記録媒体、例えば、ＤＶＤ−ＲＡＭであれば、リムーバブルディスク１２に対しても本発明を実施することができる。記録媒体は、ハードディスク１１およびＤＶＤ−ＲＡＭに限られるものではなく、それらと同等の機能を有するものであればよい。また、本発明にかかる記録再生装置１は、記録再生装置一体型テレビジョン受像機の記録再生装置であってもよい。
【００５８】
また、上記実施形態では、テレビジョン放送を録画する場合について説明したが、定期的に放送されるラジオ放送を録音する場合にも、定期的に送られてくるテレビジョン放送およびラジオ放送以外の番組を記録する場合にも、本発明を実施することができる。
【図面の簡単な説明】
【００５９】
【図１】本発明に係る記録再生装置のブロック図である。
【図２】番組予約リストを示す図である。
【図３】番組録画リストを示す図である。
【図４】予約録画の動作を示すフローチャートである。
【図５】空き領域に録画する動作を示すフローチャートである。
【図６】録画された番組を再生するときの動作を示すフローチャートである。
【図７】上書き可否確認画面を示す図である。
【図８】図６の他の実施形態の動作を示すフローチャートである。
【符号の説明】
【００６０】
１    記録再生装置
１１  ハードディスク（記録媒体）
１２  リムーバブルディスク（記録媒体）
１５Ａ、１５Ｂ  第１、第２記録再生部（記録再生手段）
１６Ａ、１６Ｂ  第１、第２記録信号処理部（記録再生手段）
１７Ａ、１７Ｂ  第１、第２再生信号処理部（記録再生手段）
２０  ＣＰＵ（制御手段、第１の制御手段、第２の制御手段）
２１  メモリー
３１  番組予約リスト
３２  番組録画リスト
３３  上書き可否確認画面
【図１】
2005117358.tif 000003
【図２】
2005117358.tif 000004
【図３】
2005117358.tif 000005
【図４】
2005117358.tif 000006
【図５】
2005117358.tif 000007
【図６】
2005117358.tif 000008
【図７】
2005117358.tif 000009
【図８】
2005117358.tif 000010